Podtech/llm-jp-corpus-v4-ja_patent huggingface dataset:
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
当否抽選による遊技結果を表示する第１特別図柄、第２特別図柄を備え、前記第１特別図柄及び前記第２特別図柄が同時に変動可能に構成され、
最短変動時間から最長変動時間の時間幅の中から前記第１特別図柄又は前記第２特別図柄の変動時間を選択するように構成された遊技機において、
前記第１特別図柄及び前記第２特別図柄のうち、一方の特別図柄が大当たり図柄で確定表示されることにより大当たり遊技が開始され、前記大当たり遊技が開始されたときには、前記当否抽選による遊技結果に係わらず、他方の特別図柄を外れ図柄で確定表示する構成とし、
前記第１特別図柄及び前記第２特別図柄のうち、一方の特別図柄が大当たり図柄で確定表示されることにより開始された前記大当たり遊技が終了した後に、前記確定表示された大当たり図柄が特定の表示態様であった場合には、前記当否抽選における当否確率を変化させる当否確率変動機能及び特別図柄の平均変動時間が通常時に比べて短い変動時間短縮機能を作動させ、
少なくとも前記当否確率変動機能及び前記変動時間短縮機能の作動中に、前記第１特別図柄及び前記第２特別図柄のうち、一方の特別図柄が前記特定の表示態様以外の大当たり図柄で確定表示される変動表示を開始する場合には、前記時間幅の中心値よりも大きな変動時間を選択するように構成したことを特徴とする遊技機。
【請求項２】
前記第１特別図柄及び前記第２特別図柄のうち、一方の特別図柄が前記特定の表示態様の大当たり図柄で確定表示される変動表示を開始する場合には、前記時間幅の中心値よりも小さな変動時間を選択するように構成したことを特徴とする請求項１記載の遊技機。
【手続補正２】
【補正対象書類名】明細書
【補正対象項目名】０００４
【補正方法】変更
【補正の内容】
【０００４】
前記課題を解決するため請求項１に記載の遊技機は、当否抽選による遊技結果を表示する第１特別図柄、第２特別図柄を備え、前記第１特別図柄及び前記第２特別図柄が同時に変動可能に構成され、最短変動時間から最長変動時間の時間幅の中から前記第１特別図柄又は前記第２特別図柄の変動時間を選択するように構成された遊技機において、前記第１特別図柄及び前記第２特別図柄のうち、一方の特別図柄が大当たり図柄で確定表示されることにより大当たり遊技が開始され、前記大当たり遊技が開始されたときには、前記当否抽選による遊技結果に係わらず、他方の特別図柄を外れ図柄で確定表示する構成とし、前記第１特別図柄及び前記第２特別図柄のうち、一方の特別図柄が大当たり図柄で確定表示されることにより開始された前記大当たり遊技が終了した後に、前記確定表示された大当たり図柄が特定の表示態様であった場合には、前記当否抽選における当否確率を変化させる当否確率変動機能及び特別図柄の平均変動時間が通常時に比べて短い変動時間短縮機能を作動させ、少なくとも前記当否確率変動機能及び前記変動時間短縮機能の作動中に、前記第１特別図柄及び前記第２特別図柄のうち、一方の特別図柄が前記特定の表示態様以外の大当たり図柄で確定表示される変動表示を開始する場合には、前記時間幅の中心値よりも大きな変動時間を選択するように構成したことを特徴とする。
【手続補正３】
【補正対象書類名】明細書
【補正対象項目名】０００７
【補正方法】変更
【補正の内容】
【０００７】
「前記大当たり遊技が開始されたときには、前記当否抽選による遊技結果に係わらず、他方の特別図柄を外れ図柄で確定表示する」の記載に関しては、第１特別図柄が大当たり図柄で確定表示したときに、第２特別図柄が変動表示中の場合には、当該第２特別図柄の変動表示を強制的に外れ図柄で確定表示させる構成となっている。仮に当該第２特別図柄の当否乱数が大当たり値を取得しているものであったとしても、第１特別図柄が大当たり図柄で確定表示した時点で、第２特別図柄を外れ図柄で確定表示させる。また、第２特別図柄が大当たり図柄で確定表示したときに、第１特別図柄が変動表示中の場合には、当該第１特別図柄の変動表示を強制的に外れ図柄で確定表示させる構成となっている。仮に当該第１特別図柄が大当たりとなる変動パターンを取得していたとしても、第２特別図柄が大当たり図柄で確定表示した時点で、第１特別図柄を外れ図柄で確定表示させる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の遊技機は、前記第１特別図柄及び前記第２特別図柄のうち、一方の特別図柄が前記特定の表示態様の大当たり図柄で確定表示される変動表示を開始する場合には、前記時間幅の中心値よりも小さな変動時間を選択するように構成したことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項１記載の発明によれば、第１特別図柄及び第２特別図柄のうち、一方の特別図柄が大当たり図柄で確定表示されることにより大当たり遊技が開始され、前記大当たり遊技が開始されたときには、当否抽選による遊技結果に係わらず、他方の特別図柄を外れ図柄で確定表示する構成としたので、第１特別図柄及び第２特別図柄が同時に大当たり図柄で確定表示してしまうのを防止することが出来る。
【手続補正９】
【補正対象書類名】明細書
【補正対象項目名】００１６
【補正方法】変更
【補正の内容】
【００１６】
請求項２記載の発明によれば、前記第１特別図柄及び前記第２特別図柄のうち、一方の特別図柄が前記特定の表示態様の大当たり図柄で確定表示される変動表示を開始する場合には、最短変動時間から最長変動時間の時間幅の中心値よりも小さな変動時間を選択するように構成したことで、特定の表示態様以外の大当たり図柄で確定表示される特別図柄の変動表示が開始してから終了するまでの期間に、他の特別図柄によって特定の表示態様の大当たり図柄が確定表示する確率を高くすることができ、遊技機の興趣をさらに向上させることができる。
【手続補正書】
【提出日】平成21年1月13日(2009.1.13)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】請求項３
【補正方法】変更
【補正の内容】
【請求項３】
首輪の部分はステンレスワイヤーを内包したベルトの端にベルトを通すガイド帯を付け、そこから少し離れたベルトの中程に調節用Ｄカン又は鍵掛け金具を設け、反対側に調節用Ｄカン又は鍵掛け金具を通す穴を数個設け、長さを調節しその穴から出したＤカン又は鍵掛け金具と反対側のＤカンをリードの先端に設けたダイヤル式鍵Ａ又はキー付き鍵を掛ける請求項１〜２記載のペット用鍵付伸縮リードと対応首輪。
【手続補正２】
【補正対象書類名】手続補正書
【補正対象項目名】手続補正２
【補正方法】追加
【補正の内容】
【手続補正２】
【補正対象書類名】明細書
【補正対象項目名】０００４
【補正方法】変更
【補正の内容】
【０００４】盗難防止用に伸縮リード（１）を設ける、その伸縮リード（１）の先端に一方の連結ベルト（２）を接続し、他方の先端にダイヤル式の鍵又はＡ鍵（３）を取り付ける。伸縮リード（１）の部分は鋏等で切断不可能なステンレスワイヤー（４）等にして防犯性を高め、ビニールコート（５）をして安全性を高める。そして、伸縮リードの（１）の持ち手のリードリール部分にダイヤル式の鍵又は鍵Ｂ（６）に掛け簡単に繋ぐことができる。首輪（７）の部分は、ステンレスワイヤー（８）を内包したベルトで構成し防犯性を高め、片方のＤカンＡ又は鍵掛け金具（９）を設け、反対側に長さ調節用のＤカンＡ又は鍵掛け金具（９）を通す穴を数個開け長さを調節する。その穴から出したＤカンＡ又は鍵掛け金具（９）ともう一方のＤカンＢ（１０）とをリードの先端につけたダイヤル式鍵又は鍵Ａ（３）で鍵を掛ける。そうすることにより首輪が抜けることもない。これにより公園に繋いでおいたり、買い物などをする時に安心して店の外の柵の支柱（１１）に繋いでおける。


【手続補正３】
【補正対象書類名】手続補正書
【補正対象項目名】手続補正３
【補正方法】追加
【補正の内容】
【手続補正３】
【補正対象書類名】明細書
【補正対象項目名】０００６
【補正方法】変更
【補正の内容】
【０００６】（イ）伸縮リード（１）を設け、リード部分を鋏等で切断不可能なステンレスワイヤー（４）にし、そのステンレスワイヤー（４）にビニールコート（５）をかぶせる。
（ロ）ステンレスワイヤー（４）の先端部分に連結ベルト（２）の一方に接続し、他方にダイヤル式鍵又はＡ鍵（３）を接続する。
（ハ）伸縮リード本体には持ち手上部にダイヤル式鍵又は鍵Ｂ（６）を設け、支柱をリードで巻いても持ち手部分の鍵にかけ簡単に繋ぐことができる。
（ニ）首輪（７）はベルトの中にステンレスワイヤー（８）を内包し、片方にＤカンＡ又は鍵掛け金具（９）を付け他方に長さ調節のＤカンＡ又は鍵掛け金具（９）を通す穴数個を開け、長さを調節しその穴から出したＤカンＡ又は鍵掛け金具（９）ともう一方のＤカンＢ（１０）とをリードの先端に付けた鍵で鍵を掛ける。


【手続補正４】
【補正対象書類名】手続補正書
【補正対象項目名】手続補正４
【補正方法】追加
【補正の内容】
【手続補正４】
【補正対象書類名】明細書
【補正対象項目名】０００８
【補正方法】変更
【補正の内容】
【０００８】  １    伸縮リード
２    連結ベルト
３    ダイヤル式鍵又は鍵Ａ
４    ステンレスワイヤー
５    ビニールコート
６    ダイヤル式鍵Ｂ又は鍵Ｂ
７    首輪
８    ステンレスワイヤー
９    ＤカンＡ又は鍵掛け金具
１０  ＤカンＢ
１１  柵のパイプ等
１２  ベルト通し
【手続補正書】
【提出日】平成20年12月12日(2008.12.12)
【手続補正１】
【補正対象書類名】特許請求の範囲
【補正対象項目名】請求項１
【補正方法】変更
【補正の内容】
【請求項１】
粉末化基材全重量に対して糖アルコールを３０重量部以上使用した粉末酒を含有することを特徴とする酒類含有キャンディー。
【手続補正２】
【補正対象書類名】特許請求の範囲
【補正対象項目名】請求項２
【補正方法】変更
【補正の内容】
【請求項２】
酒類含有キャンディー全重量に対して、粉末酒を４０重量部以上含有することを特徴とする請求項１記載の酒類含有キャンディー。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
扉体と、
略円環状をなしその外周面に複数種の絵柄が付された複数のリール及び各リールを周方向に回転駆動させる駆動手段をケースに収容してなるリール装置と、
遊技に関する制御を行う制御基板を当該基板に沿った薄形直方体状のボックスに収容してなる制御基板装置と、
前記扉体に設けられ、前記リールの絵柄を透視可能とする透視窓と、
遊技球を貯留する貯留部と、
遊技球を前記貯留部から取り込む取込手段と
を備え、
前記取込手段によって予め定めた数の遊技球が取り込まれた場合に前記リールの回転開始が許容され、その回転の停止後に前記透視窓から透視できる予め定めた有効位置に前記絵柄によって形成される特定絵柄又は特定絵柄の組合せが成立した場合には遊技者に特典を付与するようにした遊技機において、
前記扉体により前面側が覆われるとともに、背面側に前記リール装置が設けられるベース体を備え、
前記ケースには、その上部において前側から後側へ徐々に下るように形成された下り領域部を有し、
前記制御基板装置を前記リール装置の上方位置においてその制御基板面が遊技機後方へ下り傾斜となるように配置することにより、前記制御基板装置が部分的にまたは全体的に前記ケースの上部より下方かつ背部より前方に位置するように配置したことを特徴とする遊技機。
【請求項２】
前記下り領域部を平面に形成し、
前記制御基板装置を、前記下り領域部に沿うようにして設けたことを特徴とする請求項１に記載の遊技機。
【請求項３】
前記制御基板装置を前記ベース体に支持させる支持部材を設け、
前記支持部材により、前記ベース体の背面と前記制御基板装置との間に隙間を形成したことを特徴とする請求項１又は請求項２に記載の遊技機。
【請求項４】
前記制御基板装置を前記ベース体に支持させる支持部材と、
前記ベース体における前記リール装置の上方部位に、遊技の補助演出を表示する補助表示装置と
を設け、
前記支持部材により、前記ベース体の背面と前記制御基板装置との間に隙間を形成したことを特徴とする請求項１又は請求項２に記載の遊技機。
【請求項５】
前記制御基板装置を、前記リール装置とは別の部位で前記ベース体に支持させるとともに、前記リール装置に対して離間配置したことを特徴とする請求項１乃至請求項４のいずれか１つに記載の遊技機。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
遊技機前面部にて上方に開放されて設けられ、遊技球を貯留する球貯留部と、
球貯留部に貯留された遊技球を整列させて取り込む球取込用通路と、
球取込用通路に対して出没することで同通路の遊技球の通過を阻止又は許容するゲート部材と、
ゲート部材の下流側にて前記球取込用通路を通過する遊技球を検出する球検出手段とを備え、
前記球取込用通路の遊技球の通過が許容された後に、複数であって予め定められた規定数の遊技球が前記球検出手段により検出されることで前記遊技球の通過が阻止されるよう前記ゲート部材が駆動制御される遊技機において、
前記球取込用通路を前記ゲート部材よりも上流側にて段差状となるように設けるとともに、
この段差状となった部分における上流側の通路方向変化位置、及び下流側の通路方向変化位置のそれぞれに、それまでの通路の延長線上にてその通路方向に対して交差する方向に延びる上流側負荷吸収部及び下流側負荷吸収部を設け、
さらに、前記段差状となった部分から前記ゲート部材の出没位置までの通路長を、少なくとも前記規定数の遊技球が待機できるよう設定したことを特徴とする遊技機。
【請求項２】
前記通路長を、前記規定数の遊技球が待機でき同規定数を超える遊技球が待機できないよう設定したことを特徴とする請求項１に記載の遊技機。
【請求項３】
前記球取込用通路は前記ゲート部材の出没位置に向けて斜め下方に延び、
前記球取込用通路の底部に上下方向の段差形成部を設けて前記球取込用通路を段差状とし、
さらに、前記段差形成部の下流側にて待機する遊技球の最後尾の遊技球と前記段差形成部との間に前記最後尾の遊技球の上流側にある遊技球の一部が入り込むように前記通路長を設定したことを特徴とする請求項１又は２に記載の遊技機。
【請求項４】
前記球取込用通路は前記ゲート部材の出没位置に向けて斜め下方に延び、
前記球取込用通路の底部に上下方向の段差形成部を設けて前記球取込用通路を段差状とし、
さらに、前記段差状となった部分よりも上流側の通路の延長線上であって前記段差形成部に対して遊技球１個分よりも離れた位置に前記上流側負荷吸収部を設けたことを特徴とする請求項１乃至３のいずれか１に記載の遊技機。
【請求項５】
賭け数単位で必要球数を設定しておき、遊技回ごとに遊技者が入力設定した１又は複数の賭け数に応じてその賭け数分の遊技球の取り込みが前記球取込用通路を介して実施される構成であって、
前記規定数は、１賭け数分の遊技球の数であることを特徴とする請求項１乃至４のいずれか１に記載の遊技機。
【請求項６】
賭け数単位で必要球数を設定しておき、遊技回ごとに遊技者が入力設定した１又は複数の賭け数に応じてその賭け数分の遊技球の取り込みが前記球取込用通路を介して実施される構成であって、
前記球取込用通路を複数並設するとともに、最大賭け数分の遊技球の数が前記球取込用通路の数と２以上の自然数との積となるように構成し、
前記規定数は、前記最大賭け数分の遊技球の数と前記球取込用通路の数との商であることを特徴とする請求項１乃至４のいずれか１に記載の遊技機。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
遊技球の通過が阻止又は許容される遊技球通路と、
遊技球通路の途中位置から分岐する分岐通路とを備え、
所定条件が満たされることにより前記遊技球通路の遊技球の通過を許容すると共にその通過が許容された遊技球を検知し、さらに前記分岐通路を介して前記遊技球通路とは異なる位置への遊技球の誘導を可能とした遊技機であって、
前記遊技球通路を複数並設するとともに、各遊技球通路に１対１で対応させて前記分岐通路を複数並設し、
各分岐通路の並設方向に延び、分岐通路への遊技球の流入を阻止する阻止部を各分岐通路に対してそれぞれ有し、全分岐通路への遊技球の流入を阻止する全閉位置と全分岐通路への遊技球の流入を許容する全開位置との間で移動可能な分岐用開閉体を備え、
前記全開位置から移動する場合に、少なくとも一の分岐通路の遊技球の通過が阻止部によって阻止されるまでに要する移動量が他の分岐通路と異なるように前記分岐用開閉体を形成したことを特徴とする遊技機。
【請求項２】
前記分岐用開閉体が前記全開位置から移動する場合に、前記各分岐通路の遊技球の通過が前記各阻止部によって阻止されるまでに要する移動量がそれぞれ異なるように前記分岐用開閉体を形成したことを特徴とする請求項１に記載の遊技機。
【請求項３】
前記分岐用開閉体が前記全開位置から移動する場合に遊技球の通過が阻止されるタイミングが前後する分岐通路に関して、先の分岐通路の通過が阻止された直後に、後の分岐通路において通過が阻止される状態への移行が開始されるように前記分岐用開閉体を形成したことを特徴とする請求項１又は２に記載の遊技機。
【請求項４】
前記分岐用開閉体は、前記各分岐通路の並設方向に延びる板状部材からなり、
この板状部材には、前記分岐通路内に位置することで前記遊技球の流入を許容する開口部を各分岐通路に対応させて設けるとともに、
前記板状部材における前記各開口部間の壁部により前記各阻止部を構成し、
前記分岐用開閉体を、前記並設方向のスライド移動により前記全閉位置と前記全開位置との間で移動可能とし、
さらに、前記全開位置にある場合における少なくとも一の分岐通路に対する阻止部の位置が他の分岐通路に対する阻止部の位置と異なるように前記開口部の前記並設方向の寸法を設定することで、少なくとも一の分岐通路の遊技球の通過が阻止部によって阻止されるまでに要する移動量を他の分岐通路と異ならせたことを特徴とする請求項１又は２に記載の遊技機。
【請求項５】
前記分岐用開閉体が前記全開位置から移動する場合に遊技球の通過が阻止されるタイミングが前後する分岐通路に関して、先の分岐通路の通過が阻止された直後に、後の分岐通路において通過が阻止される状態への移行が開始されるように前記開口部における前記並設方向の寸法を設定したことを特徴とする請求項４に記載の遊技機。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
外層と内層を有する二層構造のクリーニングローラーにおいて、クリーニングローラーの外層を軟質の熱可塑性エラストマーの粘着層とし、また内層を基板などの対象物の凹凸の高さに柔軟に対応できるよう変形可能な材質の軟質熱可塑性エラストマーで硬度（ＪＩＳ−Ａ）２０°から６０°の範囲で適宜変更して形成する軟質弾性層とし、上記外層の粘着層を薄肉状と、内層の軟質弾性層を厚肉層とすると共に該粘着層と軟質弾性層を一体的に成型したことを特徴とする二層構造の粘着性クリーニングローラー。
【請求項２】
請求項１のクリーニングローラーの粘着層の粘着力を、対象物のフイルムなどの膜厚に対応できるように、厚膜に対しては強度粘着力とし、膜厚が薄くなるに従って粘着力を中度粘着力、低度粘着力となるように、粘着力を対象物の膜厚に比例させて粘着層を適宜変更して形成することを特徴とした二層構造の粘着性クリーニングローラー。
【請求項３】
請求項１または請求項２のクリーニングローラーの粘着層の層厚を、薄肉で比較的高い所定硬度で形成したことを特徴とする二層構造の粘着性クリーニングローラー。
【手続補正２】
【補正対象書類名】明細書
【補正対象項目名】００１１
【補正方法】変更
【補正の内容】
【００１１】  このことから、メインローラー３をサブローラー４により常にリフレッシュするものであり、またメインローラー３の硬度においては、サブローラー４と面同士の平面上での転写効率を上げることであり、ゴミを取り除くための対象物の凹凸に対応する構成を有するものでなく、よってメインローラー３の構成では、対象物に凹凸があれば、その凹凸によりゴミを取り除くことができなかった。
【手続補正３】
【補正対象書類名】明細書
【補正対象項目名】００１６
【補正方法】変更
【補正の内容】
【００１６】  本発明は、上記課題を有効に達成するために、第１の解決手段として、クリーニングローラーの外層を軟質の熱可塑性エラストマーの粘着層とし、また内層を基板などの対象物の凹凸の高さに柔軟に対応できるよう変形可能な材質の軟質熱可塑性エラストマーで硬度（ＪＩＳ−Ａ）２０°から６０°の範囲で適宜変更して形成する軟質弾性層とし、上記外層の粘着層を薄肉状と、内層の軟質弾性層を厚肉層とすると共に該粘着層と軟質弾性層を一体的に成型するとしている。
このことで、成型における柔軟性のある粘着層の形くずれが起こらず製造工程の簡略化ができ、凹凸のあるものでも埃やゴミなどを取り除くようにする。
【手続補正４】
【補正対象書類名】明細書
【補正対象項目名】００１７
【補正方法】変更
【補正の内容】
【００１７】  また、第２の解決手段は、クリーニングローラーの粘着層の層厚を、薄膜のフイルムなど対象物の膜厚に対応させて、厚膜に対しては強度粘着力とし、薄くなるに従って中度粘着力、低度粘着力となるように、粘着力を対象物の膜厚に比例させて粘着層を適宜変更して形成するとしている。
このことで対象物の薄膜のフイルムなどがクリーニングローラーに巻き付き、また切れたりすることがないようにする。
【手続補正５】
【補正対象書類名】明細書
【補正対象項目名】００１８
【補正方法】変更
【補正の内容】
【００１８】  さらに、第３の解決手段は、クリーニングローラーの粘着層の層厚を、薄肉で比較的高い所定硬度で形成するとしている。
このことで、凹凸のある対象物に使用した時の粘着層の耐摩耗性を向上させ、フイルム等へ粘着層に含有するオイル分の移行を少なくさせ、二次的汚染を防ぐようにする。
【手続補正６】
【補正対象書類名】明細書
【補正対象項目名】００１９
【補正方法】変更
【補正の内容】
【００１９】  本発明は、上述したそれぞれの手段によって有効な効果が得られるようにしたもので、特に、外層と内層を有する二層構造のクリーニングローラーにおいて、クリーニングローラーの外層を軟質の熱可塑性エラストマーの粘着層とし、また内層を基板などの対象物の凹凸の高さに柔軟に対応できるよう変形可能な材質の軟質熱可塑性エラストマーで硬度（ＪＩＳ−Ａ）２０°から６０°の範囲で適宜変更して形成する軟質弾性層とし、上記外層の粘着層を薄肉状と、内層の軟質弾性層を厚肉層とすると共に該粘着層と軟質弾性層を一体的に成型するとする第１の解決手段により、
二層構造の粘着性クリーニングローラーを一体に成型することで、より柔軟性を持たせた所定以下の低硬度の粘着層でも、成型時における粘着層の形くずれが起こらず、よって無駄なく、効率の良い成型とそれによる製造工程の簡略化で、粘着性クリーニングローラーの生産性及びコストの低減となる。
【手続補正７】
【補正対象書類名】明細書
【補正対象項目名】００２３
【補正方法】変更
【補正の内容】
【００２３】  さらに、第２の解決手段のクリーニングローラーの粘着層の粘着力を、対象物のフイルムなどの膜厚に対応できるように、厚膜に対しては強度粘着力とし、膜厚が薄くなるに従って粘着力を中度粘着力、低度粘着力となるように、粘着力を対象物の膜厚に比例させて粘着層を適宜変更して形成しているので、
対象物の薄膜のフイルムなどに粘着張り付き過ぎたり、また張り付いて該薄膜のフイルムなどが破れたり、さらに該ローラーに巻き付き現象が起きたりすることが無く、該薄膜のフイルムなどの生産性の向上とコスト削減となる。
【手続補正８】
【補正対象書類名】明細書
【補正対象項目名】００２４
【補正方法】変更
【補正の内容】
【００２４】  加えて、第３の解決手段のクリーニングローラーの粘着層の層厚を、薄肉で比較的高い所定硬度で形成しているので、
軟質弾性層の柔軟性と粘着層の薄肉で比較的高い所定硬度により、汚れを取る対象物に柔軟に対応することで、対象物及び粘着層に大きな負荷を与えず、よって粘着層の耐摩耗性が向上し、また埃、ゴミなどを取り除く能力も長期に持続させることができる。
【手続補正９】
【補正対象書類名】明細書
【補正対象項目名】００３３
【補正方法】変更
【補正の内容】
【００３３】  また、内層の軟質弾性層３は、厚肉の筒状に形成し、材質を軟質の熱可塑性エラストマー（例えば一例として、完全に水添されたスチレン系熱可塑性エラストマー）の硬度（ＪＩＳ−Ａ）２０°から６０°の範囲で、対象物の半導体基板などの大小様々な凹凸の高さに対応して、該軟質弾性層３の柔らかさであるところの柔軟に変形する変形率を硬度を変更することによって、対象物の凹凸高さに対して適宜変更して選ばれる。
【手続補正１０】
【補正対象書類名】明細書
【補正対象項目名】００３８
【補正方法】変更
【補正の内容】
【００３８】  その時、特に薄い薄膜のフイルム４では、粘着性クリーニングローラー１の粘着力が強いと、その粘着力で該粘着性クリーニングローラー１に巻き付いたり切れたりすることが起きるので、低度粘着力のものを選ぶことで、そのような粘着力による巻き込みなどが起きないようにすることが可能となる。も
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面に設けられ、前記制御装置を前記基板ケースと前記遊技機本体の背面とを離間させた状態で装着し、その基板ケースと遊技機本体の背面との間に空間領域を形成する台座部材と、
前記空間領域に設けられ当該空間領域を細分化するスペーサ部材と、を備え、
前記遊技機本体の背面には電気部品が設けられるとともに、前記スペーサ部材において前記遊技機本体の背面に対向する対向部位には、前記電気部品との干渉を回避する凹部が形成されており、
前記電気部品に一端が接続されるとともに前記制御装置に他端が接続される電気配線を備え、該電気配線が、前記遊技機本体の背面と前記スペーサ部材との間を経由して前記制御装置側に導かれていることを特徴とする遊技機。
【請求項２】
前記スペーサ部材には、前記遊技機本体の背面と前記スペーサ部材との間において前記電気配線が取り回される部位に、前記遊技機本体側に起立する起立部が形成されていることを特徴とする請求項１に記載の遊技機。
【請求項３】
前記スペーサ部材が前記遊技機本体に対して回動可能となる構成を有し、
前記遊技機本体の背面に対向するように前記スペーサ部材が回動した場合に、前記起立部により前記電気配線の弛みが解消される構成となっている請求項２に記載の遊技機。
【請求項４】
前記スペーサ部材は透明材料により形成され、当該スペーサ部材の内部が視認可能になっていることを特徴とする請求項１乃至３のいずれか一項に記載の遊技機。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
先端部に突出形成された口部を有するシリンジ外筒と、該シリンジ外筒内に挿入されたガスケットと、該ガスケットを前記シリンジ外筒の長手方向に沿って移動操作する押し子とを備えたシリンジであって、
前記シリンジ外筒は、
前記シリンジ外筒の外周部に突出し、該シリンジ外筒の軸を介して対向配置された、リング状をなす２つの第１の指掛け部と、
少なくとも一方の前記第１の指掛け部の前記シリンジ外筒の軸に対し前記第１の指掛け部の中心より遠位側の位置に設けられ、当該第１の指掛け部の外周部の一部が内側に向かって湾曲した第２の指掛け部とを有することを特徴とするシリンジ。
【請求項２】
前記第２の指掛け部は、そのほぼ全体が前記第１の指掛け部の中心より先端側に位置している請求項１に記載のシリンジ。
【請求項３】
前記一方の第１の指掛け部には、人差し指あるいは中指が係合可能であり、前記他方の第１の指掛け部には、中指あるいは薬指が係合可能であり、前記第２の指掛け部には、薬指が係合可能である請求項１または２に記載のシリンジ。
【請求項４】
前記２つの第１の指掛け部には、それぞれ、前記第２の指掛け部が設けられている請求項１ないし３のいずれかに記載のシリンジ。
【請求項５】
前記シリンジ外筒は、前記各第１の指掛け部の外周部にそれぞれ形成され、当該第１の指掛け部の前記第２の指掛け部より先端側に位置する第３の指掛け部をさらに有する請求項４に記載のシリンジ。
【請求項６】
前記各第３の指掛け部は、それぞれ、当該第３の指掛け部が設けられた前記第１の指掛け部の内側に向かって湾曲した形状をなすもの、またはほぼ直線状をなすものである請求項５に記載のシリンジ。
【請求項７】
前記各第３の指かけ部は、それぞれ、ほぼ直線状をなす、または曲率半径が前記各第２の指掛け部の曲率半径より大きい請求項６に記載のシリンジ。
【請求項８】
前記一方の第２の指掛け部には、人差し指が係合可能であり、前記他方の第２の指掛け部には、小指が係合可能であり、
前記一方の第３の指掛け部には、中指が係合可能であり、前記他方の第３の指掛け部には、薬指が係合可能である請求項５ないし７のいずれかに記載のシリンジ。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
撮像位置を変えながらの複数回の撮像により得られた複数の親画像上に関心部位を複数設定するユニットと、
前記複数の親画像をつなぎ合わせた接合画像上にて前記複数の関心部位に関する近似直線を求めるユニットと、
前記近似直線に基づいて、前記親画像に交差する断面を撮像するための条件を判定する判定ユニットとを具備したことを特徴とする磁気共鳴イメージング装置。
【請求項２】
前記判定ユニットは、前記近似直線に沿うとともに前記親画像に交差する面を断面方向として判定することを特徴とする請求項１または請求項２に記載の磁気共鳴イメージング装置。
【請求項３】
前記判定ユニットは、
前記近似直線を中心とし、かつ前記関心部位の全てを含むカバレージを設定するユニットと、
前記カバレージの大きさと、予め設定されたスライス厚およびスライスギャップとに基づいてスライス枚数を判定するユニットとを具備することを特徴とする請求項１乃至請求項３のいずれか１項に記載の磁気共鳴イメージング装置。
【請求項４】
前記判定ユニットは、前記親画像の中心を通る直線が前記仮想直線と直交する交点に基づいて、１回の撮像に関するスキャン範囲の中心位置を判定することを特徴とする請求項１に記載の磁気共鳴イメージング装置。
【請求項５】
前記判定ユニットは、前記交点を前記スキャン範囲の中心位置とすることを特徴とする請求項４に記載の磁気共鳴イメージング装置。
【請求項６】
前記判定ユニットは、前記複数の親画像のそれぞれに関する前記交点のうちの隣り合う２つの中間点を求め、この中間点から前記仮想直線に沿って予め定められた前記スキャン範囲の幅の半分に相当する距離を離隔した位置を前記スキャン範囲の中心位置とすることを特徴とする請求項４に記載の磁気共鳴イメージング装置。
【請求項７】
前記判定ユニットが判定した条件をオペレータに提示するユニットをさらに備えることを特徴とする請求項１乃至請求項６のいずれか１項に記載の磁気共鳴イメージング装置。
【請求項８】
前記判定ユニットが判定した条件を前記オペレータからの要求に応じて変更するユニットをさらに備えることを特徴とする請求項７に記載の磁気共鳴イメージング装置。
【請求項９】
静磁場中の被検体に対して傾斜磁場および高周波パルスを印加することで磁気共鳴信号を発生させる撮像ユニットと、
前記被検体を載置する天板を前記天板の長手方向にスライドさせる寝台と、
前記磁気共鳴信号を検出する高周波コイルと、
位置決め画像を表示する表示ユニットと、
前記位置決め画像上におけるユーザによる設定指定に応じて複数の関心位置を設定する設定ユニットと、
この設定ユニットにより設定された前記複数の関心位置に従って、当該複数の関心位置を含むカバレージを演算する演算ユニットと、
前記ユーザによる変更指定に応じて前記カバレージを変更する変更手段と、
前記ユーザによる確定指定がなされた時点における前記カバレージが前記静磁場によって規定される撮像可能領域に比べて大きいとき、前記カバレージにおける前記位置決め画像に交差する断面を撮像位置を変えながら複数回撮像するように前記撮像ユニット、前記寝台および前記高周波コイルを制御する制御ユニットとを具備したことを特徴とする磁気共鳴イメージング装置。
【請求項１０】
前記制御手段は、前記複数回の撮像のそれぞれで複数の断面を撮像することを特徴とする請求項９に記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、撮像位置を変えながらの複数回の撮像を行うことで広領域を撮像する磁気共鳴イメージング装置に関する。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
始動操作手段の操作に起因して複数の識別情報を可変表示するとともに、停止操作手段の操作に起因して可変表示を停止する可変表示手段を備え、
前記可変表示手段にて所定領域に停止された識別情報が特定識別情報である場合には所定の遊技価値を付与する遊技機であって、
遊技機前面側において遊技球を貯留可能な球貯留手段と、
前記球貯留手段から遊技球を取込可能な取込手段と、
前記遊技価値の付与として前記球貯留手段へ遊技球を払出可能な払出手段とを備え、
前記取込手段により所定数の遊技球が取込まれた場合に遊技開始可能となる構成とするとともに、
不正対象物又は当該不正対象物へ連通する通路部の遊技機前面側への露出を抑えるように少なくとも一部が遊技機前面側に露出した状態で配置されるカバー手段と、
前記カバー手段の非露出面に対し光を当てる発光手段とを備え、
前記カバー手段を、遮光性を有する遮光手段により構成したことを特徴とする遊技機。
【請求項２】
始動操作手段の操作に起因して複数の識別情報を可変表示するとともに、停止操作手段の操作に起因して可変表示を停止する可変表示手段を備え、
前記可変表示手段にて所定領域に停止された識別情報が特定識別情報である場合には所定の遊技価値を付与する遊技機であって、
遊技機前面側において遊技球を貯留可能な球貯留手段と、
前記球貯留手段から遊技球を取込可能な取込手段と、
前記遊技価値の付与として前記球貯留手段へ遊技球を払出可能な払出手段とを備え、
前記取込手段により所定数の遊技球が取込まれた場合に遊技開始可能となる構成とし、
前記球貯留手段の少なくとも一部が、遊技機前面側を構成する前面体の前面部より奥方に配置されるとともに、
前記球貯留手段の上方位置において発光手段を配置し、
前記球貯留手段のうち少なくとも前記前面体の前面部より奥方に配置される部分の上部を覆うカバー体を備え、
前記カバー体の少なくとも一部を、遮光性を有する遮光手段により構成したことを特徴とする遊技機。
【請求項３】
前記カバー体の少なくとも一部を、透光性を有する透光手段により構成したことを特徴とする請求項２に記載の遊技機。
【請求項４】
前記球貯留手段は、前記取込手段へ遊技球を導出する導出部を備え、
前記カバー体は、前記導出部の上方位置において当該カバー体の本体部に対し着脱自在に取付けられる導出部カバー体を備え、
前記導出部カバー体を前記遮光手段としたことを特徴とする請求項２又は３に記載の遊技機。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
外枠に対して前方へ回動可能に支持された扉体と、
絵柄を可変表示する絵柄表示手段と、
遊技球を取り込む取込手段と、
遊技球を払い出す払出手段と
を備え、
前記取込手段により予め定めた数の遊技球が取り込まれると、前記絵柄表示手段における絵柄の可変表示が許容され、前記絵柄表示手段の表示絵柄により決まる成立役に応じて前記遊技球払出手段によって遊技球の払出を実行する遊技機において、
前記絵柄表示手段を含む絵柄表示ユニット、前記取込手段を含む取込ユニット、及び前記払出手段を含む払出ユニットの各ユニットをそれぞれ個別に設け、
前記扉体の背面側に、前記絵柄表示ユニットを支持する第一支持手段と、前記取込ユニットを支持する第二支持手段と、前記払出ユニットを支持する第三支持手段とを設け、
これら各ユニット全てを、前記扉体に対して後方へ移動又は後方へ取り外し可能としたことを特徴とする遊技機。
【請求項２】
前記外枠又は前記扉体の左右どちらか一方側には、前記扉体の回動に伴い前記扉体を回動先端側へ移動させる扉体支持手段を設けたことを特徴とする請求項１に記載の遊技機。
【請求項３】
前記扉体支持手段には、前記外枠に対する前記扉体の最大回動角度を規制するための規制手段を設け、
前記最大回動角度を、９０°以上の所定角度に設定したことを特徴とする請求項２に記載の遊技機。
【請求項４】
前記絵柄表示ユニットを前側、前記払出ユニットを後側としてこれら各ユニットを前記扉体の背面側に重ねて配置し、
前記第一支持手段及び前記第三支持手段により、前記両ユニットを個別に後方へ移動可能とするとともに、前記両ユニットの下方への変位を規制し、
前記取込ユニットを、前記両ユニットと前後方向に重ならないようそれらよりも下方に配置し、
前記第二支持手段により、前記取込ユニットを水平方向に移動又は取り外し可能としたことを特徴とする請求項１乃至請求項３のいずれか１つに記載の遊技機。
【請求項５】
前記第一支持手段及び前記第三支持手段により、前記絵柄表示ユニット及び前記払出ユニットを扉体に対し回動可能とすることを特徴とする請求項１乃至請求項４のいずれか１つに記載の遊技機。
【請求項６】
前記第一支持手段及び前記第三支持手段により、絵柄表示ユニット及び払出ユニットを、各々前記扉体に対し所定角度以上回動させた状態で取り外し可能としたことを特徴とする請求項５に記載の遊技機。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
遊技機前方に回動可能に設けられた扉体と、
前記扉体に支持され、絵柄を可変表示する絵柄表示装置と、
前記扉体に支持され、遊技球を払い出す払出装置と
を備え、
前記絵柄表示装置の表示絵柄により決まる成立役に応じて前記払出装置によって遊技球の払出を実行する遊技機において、
前記扉体は、遊技機前面領域の少なくとも一部を構成する合成樹脂製の前面体と、その前面体の背後に配設された金属製の補強枠とを備え、
前記前面体には、前記絵柄表示装置の絵柄を透視可能とする透視窓を形成し、
前記補強枠は板面を前後に向けた基枠部を備え、その基枠部を前記前面体の外周縁に沿った矩形枠状に形成し、
前記基枠部を前記透視窓の周囲に配置されるように前記基枠部の板面を前記前面体の背後に取り付け、
さらに、前記補強枠には、前記基枠部から前後方向に延びるフランジ部を設けたことを特徴とする遊技機。
【請求項２】
前記フランジ部として、前記基枠部の外周縁から前方に延びる外周フランジ部を設け、その外周フランジ部を連続する枠状に形成し、
前記外周フランジ部の少なくとも一部を前記前面体の内周面に当接させたことを特徴とする請求項１に記載の遊技機。
【請求項３】
前記基枠部の前方かつ前記前面体の後方には、遊技機の演出手段を構成する演出手段構成部材を備え、
前記基枠部の板面と前記外周フランジ部により囲まれた空間に前記演出手段構成部材の少なくとも一部が含まれるように配置したことを特徴とする請求項２に記載の遊技機。
【請求項４】
前記絵柄表示装置を前記扉体の後方に配置するとともに、前記絵柄表示装置を背面側から被覆するように保護カバーを設け、
前記フランジ部として、後方に延びる後方フランジ部を設け、
前記後方フランジ部を前記保護カバーに当接させることにより、前記絵柄表示装置の上方を覆う構成としたことを特徴とする請求項１乃至請求項３のいずれか１つに記載の遊技機。
【請求項５】
遊技球を取り込む取込装置を含み構成される取込ユニットを備え、
前記基枠部の下辺を構成する下枠部の上部に前記取込ユニットの上部を支持する上部支持手段を設けるとともに、前記下枠部の下部に前記取込ユニットの下部を支持する下部支持手段を設け、
前記下枠部の上下幅を、前記基枠部の他の部位より幅広に形成したことを特徴とする請求項１乃至請求項４のいずれか１つに記載の遊技機。
【請求項６】
前記下枠部に、前後方向への段差部を形成したことを特徴とする請求項５に記載の遊技機。
【請求項７】
前記前面体における前記透視窓の下方にはスピーカ穴を形成し、
前記段差部により、前記下枠部にはその一部を前方へ突出させた凸部を形成し、
前記凸部には、前記スピーカ穴を介し露出するスピーカを前向きに設け、
前記凸部の背面側空間により、前記スピーカの音響空間を形成したことを特徴とする請求項６に記載の遊技機。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
遊技盤の前面に遊技球が転動する遊技領域を視認することのできる窓部を有する前面枠セットを備え、前記遊技領域内には構成物が遊技盤面から窓部側に突出するように設けられている遊技機において、
前記窓部が少なくとも前後に所定の間隔を隔てた二層の透明板により構成されており、
前記二層の透明板のうち遊技盤側の透明板には、前記遊技領域に対向する凹部が設けられ、
遊技領域内において前記遊技盤又は前記構成物と前記窓部との間を閉塞する防御部材は、前記防御部材の先端部が、前記前面枠セットの閉鎖状態において、前記凹部に係入する状態で、前記遊技盤に直接又は前記構成物に設けられていることを特徴とする遊技機。
【請求項２】
前記遊技盤側の透明板の凹部が、前記遊技盤側の透明板を切り欠いて構成されている請求項１に記載の遊技機。
【請求項３】
前記防御部材が、光透過性を有する外郭部の内部に発光手段を内蔵しており、前記発光手段から放出される光を窓部側に照射できるように構成されている請求項１又は２に記載の遊技機。
【請求項４】
前記防御部材が、光ファイバーの集合体で構成され、前記光ファイバーの集合体の遊技盤側の端面に発光手段が設けられ、前記光ファイバーの集合体の先端側面が前記遊技盤側の透明板の切り欠き部に係入され、前記発光手段から放出される光を前記光ファイバーの集合体を介して前記窓部側に照射できるように構成されている請求項１又は２に記載の遊技機。
【請求項５】
前記遊技盤側の透明板が導光板で構成され、該導光板には溝刻設による意匠が形成されており、前記導光板の切り欠き端面に対して光を照射して前記意匠を映し出すように構成してある請求項３又は４に記載の遊技機。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
オフセット印刷機における湿し水が混在するインキ膜で覆われているインキローラーに該インキローラー接線方向からエアーを吹き掛けることを特徴とする余剰湿し水除去装置。
【請求項２】
請求項１に記載の装置を備えたことを特徴とするオフセット印刷機。
【請求項３】
前記インキローラーの両端支持部にエアーを吹き掛ける手段を備えたことを特徴とする請求項２に記載のオフセット印刷機。
【請求項４】
インキローラー接線方向にエアーを吹き掛ける手段及び該インキローラーの両端支持部にエアーを吹き掛ける手段が、それぞれ任意に分割されてなることを特徴とする請求項３に記載のオフセット印刷機。
【請求項５】
エアーを吹き掛ける手段のエアー吹き出し口が扁平形状のスプレーパターンをもつノズルであることを特徴とする請求項２〜４のいずれかに記載のオフセット印刷機。
【請求項６】
エアーの流量を加減する調整弁が設けられたことを特徴とする請求項２〜５のいずれかに記載のオフセット印刷機。
【請求項７】
ローラー内に温調装置を設けないことを特徴とする請求項２〜６のいずれかに記載のオフセット印刷機。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
枠体と、
前記枠体の内部に配置され、発熱体を有する第１電子部品と、
前記枠体の外部に配置された第２電子部品と、
前記第１電子部品と前記第２電子部品との間を電気的に接続する電気ケーブルと、
前記第１電子部品と前記枠体の外部との間において、前記枠体に設けられ前記枠体の内部と外部とを連通する連通口を介して空気を流通させるための風路と、  を備え、
前記電気ケーブルは、前記連通口を通って、前記第１電子部品と前記第２電子部品との間を電気的に接続している電子機器であって、
前記電気ケーブルは、前記連通口近傍の領域で、前記風路の一部を構成することを特徴とする電子機器。
【請求項２】
前記枠体の外部側の領域において、前記風路を構成するダクトを備え、
前記枠体は、金属で構成されており、
前記電気ケーブルは、前記ダクトと前記枠体との間に挟まれることによって前記枠体の面に押し当てられていることを特徴とする請求項１に記載の電子機器。
【請求項３】
前記電気ケーブルは、フレキシブルフラットケーブルであることを特徴とする請求項１または２に記載の電子機器。
【請求項４】
前記枠体の内部側から外部側へ向かう気流を前記ダクト内に発生させる排気ファンを備えることを特徴とする請求項１乃至３のいずれか１項に記載の電子機器。
【請求項５】
前記枠体の外部側から内部側へ向かう気流を前記ダクト内に発生させる吸気ファンを備えることを特徴とする請求項１乃至３のいずれか１項に記載の電子機器。
【請求項６】
請求項１乃至５のいずれか１項に記載の電子機器は、記録材に画像を形成する画像形成装置であることを特徴とする電子機器。
【手続補正２】
【補正対象書類名】明細書
【補正対象項目名】００１２
【補正方法】変更
【補正の内容】
【００１２】
上記目的を達成するために本発明にあっては、
枠体と、
前記枠体の内部に配置され、発熱体を有する第１電子部品と、
前記枠体の外部に配置された第２電子部品と、
前記第１電子部品と前記第２電子部品との間を電気的に接続する電気ケーブルと、
前記第１電子部品と前記枠体の外部との間において、前記枠体に設けられ前記枠体の内部と外部とを連通する連通口を介して空気を流通させるための風路と、  を備え、
前記電気ケーブルは、前記連通口を通って、前記第１電子部品と前記第２電子部品との間を電気的に接続している電子機器であって、
前記電気ケーブルは、前記連通口近傍の領域で、前記風路の一部を構成することを特徴とする。
【手続補正３】
【補正対象書類名】明細書
【補正対象項目名】００２２
【補正方法】変更
【補正の内容】
【００２２】
本実施例では、比較的メンテナンス性の高いアクセス頻度の高いと考えられる第２電子部品としての制御基板１００は、画像形成装置１を構成する枠体としての装置枠体フレーム１０１の外部（以下、枠体外部という場合もある）に配置している。さらに、比較的メンテナンス性の低いとされる製品の動作を司る電気回路を有する第１電子部品としての電気基板１０２は装置枠体フレーム１０１の内部（以下、枠体内部という場合もある）へと配置している。
【手続補正４】
【補正対象書類名】明細書
【補正対象項目名】００２４
【補正方法】変更
【補正の内容】
【００２４】
また本実施例では、図３（ａ），（ｂ）に示すように枠体内部に配置した電気基板１０２から枠体外部に配置された制御基板１００へ電気的に接続する通信配線（電気ケーブル）としてフレキシブルフラットケーブル１０３を使用している。フレキシブルフラットケーブル１０３を使用することで、電気基板１０２と制御基板１００とに配置される配線差込用コネクタの大きさを小型、一体に収めることができて、基板面積をより小型に収めている。ここで、フレキシブルフラットケーブル１０３は、平板型の導体を複数本帯状に並べて被覆されたケーブルである。
【手続補正５】
【補正対象書類名】明細書
【補正対象項目名】００２８
【補正方法】変更
【補正の内容】
【００２８】
本実施例では、枠体内部に配置した電気基板１０２から枠体外部に配置された制御基板
１００へと結ぶフレキシブルフラットケーブル１０３の装置枠体フレーム１０１をくぐり抜ける経路穴（連通口）として風路穴１０６を用いている。ここで、風路穴１０６は、装置枠体フレーム１０１の内部側へ配置した電気基板１０２から装置枠体フレーム１０１の外部に装着される排気ファン１０４へとつながって、空気を流通させている。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
第１の電極板と、
前記第１の電極板に対して空隙ｇ（ｎｍ）を介して対向配置される第２の電極板と、
前記第２の電極板の側面から延在され、且つ前記第１の電極板に対して空隙ｇ（ｎｍ）を介して配置される支持梁と、
前記第１の電極板と前記第２の電極板とに同相の交流電力を印加するための給電手段と、
前記第１の電極板と前記第２の電極板との間の静電容量に対応した出力を得る検出手段と、
を含み、
前記第１の電極板と前記第２の電極板との間に印加されるＤＣバイアス電圧ＶDC（Ｖ）に対して、前記第２の電極板の寸法が、下記式が成立するものであることを特徴とするＭＥＭＳ振動子。
【数１】
2007175577.tif 000001
但し、ｌは前記第２の電極板の長さ（μｍ）；ｇは前記第１の電極板と前記第２の電極板との空隙（ｎｍ）；Ｅは前記第２の電極板のヤング率（ＧＰａ）；ｔは前記第２の電極板の厚み（ｎｍ）；ε0は前記第２の電極板の誘電率（Ｆ／ｍ）；ＶDCは前記第２の電極板にかかるＤＣバイアス電圧（Ｖ）：である。
【請求項２】
請求項１に記載されたＭＥＭＳ振動子において、
前記支持梁は、片持ち梁（カンチレバー）構造であるＭＥＭＳ振動子。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面に設けられ、前記制御装置を前記基板ケースと前記遊技機本体の背面とを離間させた状態で装着し、その基板ケースと遊技機本体の背面との間に空間領域を形成する台座部材と、
前記空間領域に設けられ当該空間領域を細分化するスペーサ部材と、を備え、
前記台座部材は前記遊技機本体に対して回動可能に設けられ、
前記スペーサ部材において遊技機前後方向にて対向する両端面のうち前記台座部材が回動した場合に露出する端面側に蓋部が設けられていることを特徴とする遊技機。
【請求項２】
前記スペーサ部材は、遊技機前後方向に延びる向きに形成された複数の仕切部を有し、
前記蓋部は、前記各仕切部の間を閉鎖するものであることを特徴とする請求項１に記載の遊技機。
【請求項３】
前記スペーサ部材は透明材料により形成され、当該スペーサ部材の内部が視認可能になっていることを特徴とする請求項１又は２に記載の遊技機。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
中空糸膜束と、前記中空糸膜束を収納する本体ケースと、前記中空糸膜束を前記本体ケース端部の内壁に固定するための隔壁と、ケース開口端部に取り付けられる、被処理液の導入口もしくは導出口を有するヘッダーと、前記ヘッダー内面に備えられた環状弾性体とからなる中空糸膜モジュールにおいて、前記環状弾性体は前記ヘッダー内面との接触面の一部および前記隔壁との接触面の一部の両方に環状の溝部を備えることを特徴とする中空糸膜モジュール。
【請求項２】
前記本体ケースと前記ヘッダーとを超音波溶着により一体固定して得られたものである請求項１に記載の中空糸膜モジュール。
【請求項３】
血液浄化のために使用されるものであることを特徴とする請求項１または２に記載の中空糸膜モジュール。
【請求項４】
中空糸膜束と、前記中空糸膜束を収納する本体ケースと、前記中空糸膜束を前記本体ケース端部の内壁に固定するための隔壁と、ケース開口端部に取り付けられる、被処理液の導入口もしくは導出口を有するヘッダーと、前記ヘッダー内面に備えられた環状弾性体とからなる中空糸膜モジュールを製造する方法において、前記ヘッダー内面との接触面の一部および前記隔壁との接触面の一部の両方に環状の溝部を備える環状弾性体を用いて、かつ前記本体ケースと前記ヘッダーとを超音波溶着により一体固定することを特徴とする中空糸膜モジュールの製造方法。
【請求項５】
前記中空糸膜モジュールが血液浄化のために使用されるものであることを特徴とする請求項４に記載の中空糸膜モジュールの製造方法。